(57)【要約】【課題】    転送先となる外部の電子機器に有用な画像を容易に撮影することができる撮影画像制御装置を実現すること。【解決手段】  ＣＰＵ１０は、通信制御部８０を介して携帯電話１００から表示画面サイズデータを受信し、転送先表示サイズ、表示部３０の表示画面サイズ、及び撮影画像サイズとから枠設定データ５０６を算出する。そして、枠設定データ５０６に基づいて矩形枠を表示部３０に表示させ、シャッタースイッチ３が押下された後にＯＫキーの押下を検知すると、矩形枠内の画像データを撮影画像２１０としてメモリカード２１に保存した後、撮影画像２１０を携帯電話１００へ送信する。携帯電話１００は、受信した撮影画像２１０を壁紙画像として設定し、表示させる。【選択図】図２
2005191643.tif 000002
【特許請求の範囲】
【請求項１】
電子的に撮影する撮影手段と、
この撮影手段により撮影された被写体の画像を撮影画像として表示する表示部に枠を表示する制御を行う枠表示制御手段と、
この枠表示制御手段の制御により表示された枠内にのみ表示されている撮影画像を外部の電子機器に送信する制御を行う送信制御手段と、
を備えることを特徴とする撮影画像制御装置。
【請求項２】
前記外部の電子機器から当該電子機器に設けられた表示部の画面サイズを表す表示画面サイズデータを受信する制御を行う受信制御手段と、
この受信制御手段の制御により受信された表示画面サイズデータに応じて前記枠表示制御手段により表示された枠のサイズを変更する枠サイズ変更手段と、
を更に備えることを特徴とする請求項１に記載の撮影画像制御装置。
【請求項３】
外部の電子機器の表示画面のサイズを表す表示画面サイズデータと前記外部の電子機器の製品種別を判別する製品種別情報とを対応づけて記憶している記憶手段と、
前記外部の電子機器から当該電子機器の製品種別情報を受信する制御を行う受信制御手段と、
この受信制御手段の制御により受信された製品種別情報に対応付けて前記記憶手段に記憶された表示画面サイズデータに基づいて前記枠のサイズを変更する枠サイズ変更手段と、
を更に備えることを特徴とする請求項１に記載の撮影画像制御装置。
【請求項４】
外部の電子機器の表示画面のサイズを表す表示画面サイズデータと前記外部の電子機器の製品種別を判別する製品種別情報とを対応づけて記憶している記憶手段と、
前記外部の電子機器の製品種別情報を入力する種別入力手段と、
この種別入力手段により入力された製品種別情報に対応付けて前記記憶手段に記憶された表示画面サイズデータに基づいて前記枠のサイズを変更する枠サイズ変更手段と、
を更に備えることを特徴とする請求項１に記載の撮影画像制御装置。
【請求項５】
前記枠表示制御手段により表示された枠のサイズ変更指示を入力する変更指示入力手段と、
この変更指示入力手段により入力されたサイズ変更指示に応じて前記枠のサイズを変更する枠サイズ変更手段と、
を更に備えることを特徴とする請求項１に記載の撮影画像制御装置。
【請求項６】
電子的に撮影する撮影手段とこの撮影手段により撮影された被写体の画像を撮影画像として表示する表示部とを備えたコンピュータに、
前記表示部に枠を表示する制御を行う枠表示制御機能と、
この枠表示制御機能の制御により表示された枠内にのみ表示されている撮影画像を外部の電子機器に送信する制御を行う送信制御機能と、
を実現させるためのプログラム。
【発明の詳細な説明】
【技術分野】
【０００１】
撮影画像制御装置及びプログラムに関する。
【背景技術】
【０００２】
従来から、撮影画像制御装置の一種として電子的に被写体を撮影するデジタルカメラが知られている。デジタルカメラは光学レンズを通してＣＣＤ（Charge Coupled Device）等の撮像素子で光電変換することでデジタルな画像データを得るものである。
【０００３】
このデジタルカメラで撮影して保存した画像（以下、「撮影画像」という。）は、パソコンや、携帯電話等の表示装置を備えた電子機器に転送することで、当該電子機器で撮影画像を参照することができる。
【０００４】
例えば、通信装置が内蔵されたデジタルカメラで撮影した撮影画像を、当該通信装置によって携帯電話に転送する。一般的に、デジタルカメラで撮影した撮影画像の画像サイズは、携帯電話の表示装置の画面サイズよりも大きいため、撮影画像を加工する必要がある。
【０００５】
この撮影画像を加工する方法の一種として、携帯電話側のメモリの使用可能容量又は表示装置の出力性能に関する情報を取得し、当該情報に基づいて撮影画像を最適なデータ量に自動調整して外部機器に転送する方法が考案されている（特許文献１参照）。
【０００６】
また、撮影画像をパソコンに一度取り込み、当該パソコンの画像加工ソフトを使用して、携帯電話の表示装置の画面サイズに合わせて撮影画像を縮小したり、切り取ったり等の加工をした後、パソコンから携帯電話に加工した撮影画像を転送することで、携帯電話においても撮影画像を参照できるようになる。
【特許文献１】特開２００３−６０９５２号公報
【発明の開示】
【発明が解決しようとする課題】
【０００７】
携帯電話の表示装置は、当該携帯電話の製造元や機種によって異なるのが一般的である。そのため、特許文献１のように、撮影画像のデータ量を自動調整して、単に撮影画像を縮小しただけでは、撮影画像の縦横比と、表示装置の縦横比とが一致するとは限らず、自動調整された撮影画像は、携帯電話の表示装置に適した画面サイズでは表示されない。
【０００８】
例えば、デジタルカメラの撮影画像の縦横比が“３：４”であり、携帯電話の表示装置の縦横比が“４：３”であるとする。特許文献１の方法で撮影画像を加工したとする。撮影画像を表示装置において表示するためには、撮影画像の横幅が表示装置の横幅と同じになるように撮影画像を加工する必要がある。そのため、表示装置の上方及び下方にはなにも表示されない領域が生じてしまった。
【０００９】
また、パソコンを使用して撮影画像を加工する場合は、デジタルカメラをパソコンに接続して、当該パソコンの画像加工ソフトによって撮影画像を加工した後、加工した撮影画像を携帯電話に転送するといったように、一度パソコンを介すことで操作が煩雑となってしまった。
【００１０】
本発明は、以上のような課題に鑑みてなされたものであり、その目的とするところは、転送先となる外部の電子機器に有用な画像を容易に撮影することができる撮影画像制御装置を実現することである。
【課題を解決するための手段】
【００１１】
以上の課題を解決するために、請求項１に記載の撮影画像制御装置は、
電子的に撮影する撮影手段（例えば、図２の撮影部４０）と、
この撮影手段により撮影された被写体の画像を撮影画像として表示する表示部に枠（例えば、図６（ａ）の矩形枠ＦＲ１）を表示する制御を行う枠表示制御手段（例えば、図２のＣＰＵ１０；図４のステップＡ５）と、
この枠表示制御手段の制御により表示された枠内にのみ表示されている撮影画像を外部の電子機器（例えば、図２の携帯電話１００）に送信する制御を行う送信制御手段（例えば、図２のＣＰＵ１０、通信制御部８０；図４のステップＡ１９；図５（ｂ）のステップＤ５）と、
を備えることを特徴とする撮影画像制御装置。
【００１２】
また、請求項６に記載のプログラムは、
電子的に撮影する撮影手段（例えば、図２の撮影部４０）とこの撮影手段により撮影された被写体の画像を撮影画像として表示する表示部とを備えたコンピュータに、
前記表示部に枠（例えば、図６（ａ）の矩形枠ＦＲ１）を表示する制御を行う枠表示制御機能（例えば、図２のＣＰＵ１０；図４のステップＡ５）と、
この枠表示制御機能の制御により表示された枠内にのみ表示されている撮影画像を外部の電子機器（例えば、図２の携帯電話１００）に送信する制御を行う送信制御機能（例えば、図２のＣＰＵ１０、通信制御部８０；図４のステップＡ１９；図５（ｂ）のステップＤ５）と、
を実現させることを特徴としている。
【００１３】
請求項１又は６に記載の発明によれば、撮影手段により撮影された被写体の画像のうち、表示部に表示させた枠内にのみ表示されている画像を外部の電子機器へ送信する撮影画像制御装置が実現される。例えば、表示された枠のサイズが外部の電子機器の表示部の画面サイズと同じであれば、ユーザは、外部の電子機器の表示部の画面サイズに適した画像を容易に撮影することができる。このように、表示される枠よって、転送先となる外部の電子機器に有用な画像を容易に撮影することができる。
【００１４】
請求項２に記載の発明は、請求項１に記載の撮影画像制御装置において、
前記外部の電子機器から当該電子機器に設けられた表示部の画面サイズを表す表示画面サイズデータ（例えば、図３の表示画面サイズデータ１２２）を受信する制御を行う受信制御手段（例えば、図２のＣＰＵ１０、通信制御部８０；図５のステップＢ５）と、
この受信制御手段の制御により受信された表示画面サイズデータに応じて前記枠のサイズを変更する枠サイズ変更手段（例えば、図２のＣＰＵ１０；図４のステップＡ５；図５（ａ）のステップＢ７）と、
を更に備えることを特徴としている。
【００１５】
請求項２に記載の発明によれば、請求項１に記載の撮影画像制御装置と同様の効果が得られるのは無論のこと、外部の電子機器から受信した表示画面サイズデータに応じた枠のサイズに変更する撮影画像制御装置が実現される。従って、ユーザは、外部の電子機器の表示部の画面サイズに適した画像を容易に撮影することができる。
【００１６】
請求項３に記載の発明は、請求項１に記載の撮影画像制御装置において、
外部の電子機器の表示画面のサイズを表す表示画面サイズデータと前記外部の電子機器の製品種別を判別する製品種別情報とを対応づけて記憶している記憶手段（例えば、図２のＲＯＭ６０；図７の画面サイズ携帯別データ６０６）と、
前記外部の電子機器から当該電子機器の製品種別情報（例えば、図３の製品種別データ１２０）を受信する制御を行う受信制御手段（例えば、図２のＣＰＵ１０、通信制御部８０；図８（ａ）のステップＦ５）と、
この受信制御手段の制御により受信された製品種別情報に対応付けて前記記憶手段に記憶された表示画面サイズデータに基づいて前記枠のサイズを変更する枠サイズ変更手段（例えば、図２のＣＰＵ１０；図４のステップＡ５；図８（ａ）のステップＦ７）と、
を更に備えることを特徴としている。
【００１７】
請求項３に記載の発明によれば、請求項１に記載の撮影画像制御装置と同様の効果が得られるのは無論のこと、外部の電子機器から受信した製品種別情報に対応する表示画面サイズデータに応じた枠のサイズに変更する撮影画像制御装置が実現される。
【００１８】
請求項４に記載の発明は、請求項１に記載の撮影画像制御装置において、
外部の電子機器の表示画面のサイズを表す表示画面サイズデータと前記外部の電子機器の製品種別を判別する製品種別情報とを対応づけて記憶している記憶手段（例えば、図２のＲＯＭ６０；図７の画面サイズ携帯別データ６０６）と、
前記外部の電子機器の製品種別情報を入力する種別入力手段（例えば、図１のカーソルキー１５；図２のＣＰＵ１０、入力部２０；図８（ｂ）のステップＧ３〜Ｇ５）と、
この種別入力手段により入力された製品種別情報に対応付けて前記記憶手段に記憶された表示画面サイズデータに基づいて前記枠のサイズを変更する枠サイズ変更手段（例えば、図２のＣＰＵ１０；図４のステップＡ５；図８（ｂ）のステップＧ７）と、
を更に備えることを特徴としている。
【００１９】
請求項４に記載の発明によれば、請求項１に記載の撮影画像制御装置と同様の効果が得られるのは無論のこと、ユーザにより入力された製品種別情報に対応する表示画面サイズデータに応じた枠のサイズに変更する撮影画像制御装置が実現される。
【００２０】
請求項５に記載の発明は、請求項１に記載の撮影画像制御装置において、
前記枠表示制御手段により表示された枠のサイズ変更指示を入力する変更指示入力手段（例えば、図１のカーソルキー１５；図２のＣＰＵ１０、入力部２０）と、
この変更指示入力手段により入力されたサイズ変更指示に応じて前記枠のサイズを変更する枠サイズ変更手段（例えば、図２のＣＰＵ１０；図１１のステップＨ５−３）と、
を更に備えることを特徴としている。
【００２１】
請求項５に記載の発明によれば、請求項１に記載の撮影画像制御装置と同様の効果が得られるのは無論のこと、表示された枠に対してサイズ変更指示を入力することで、枠のサイズを変更することのできる撮影画像制御装置が実現される。
【発明の効果】
【００２２】
請求項１又は６に記載の発明によれば、撮影手段により撮影された被写体の画像のうち、表示部に表示させた枠内にのみ表示されている画像を外部の電子機器へ送信する撮影画像制御装置が実現される。例えば、表示された枠のサイズが外部の電子機器の表示部の画面サイズと同じであれば、ユーザは、外部の電子機器の表示部の画面サイズに適した画像を容易に撮影することができる。このように、表示される枠よって、転送先となる外部の電子機器に有用な画像を容易に撮影することができる。
【００２３】
請求項２に記載の発明によれば、外部の電子機器から受信した表示画面サイズデータに応じた枠のサイズに変更する撮影画像制御装置が実現される。従って、ユーザは、外部の電子機器の表示部の画面サイズに適した画像を容易に撮影することができる。
【００２４】
請求項３に記載の発明によれば、外部の電子機器から受信した製品種別情報に対応する表示画面サイズデータに応じた枠のサイズに変更する撮影画像制御装置が実現される。
【００２５】
請求項４に記載の発明によれば、ユーザにより入力された製品種別情報に対応する表示画面サイズデータに応じた枠のサイズに変更する撮影画像制御装置が実現される。
【００２６】
請求項５に記載の発明によれば、表示された枠に対してサイズ変更指示を入力することで、枠のサイズを変更することのできる撮影画像制御装置が実現される。
【発明を実施するための最良の形態】
【００２７】
以下、本発明を撮影画像制御装置の一種であるデジタルカメラに適用した場合の第１実施形態について図１〜図９を参照して詳細に説明する。
【００２８】
〔第１実施形態〕
図１（ａ）は、第１実施形態の概要を示す図である。同図のように、メモリカード２１の着脱が可能なデジタルカメラ１は、通信制御部８０を有しており、携帯電話１００と通信可能に構成されている。ユーザにより被写体の撮影が行われると、デジタルカメラ１は撮影画像２１０をメモリカード２１に保存する。そして、メモリカード２１に保存した撮影画像２１０を携帯電話１００に転送することで、撮影画像２１０は携帯電話１００の壁紙画像として設定される。
【００２９】
図１（ｂ）及び（ｃ）は、第１実施形態におけるデジタルカメラ１の概観図である。図１（ｂ）は正面斜視図、図１（ｃ）は背面斜視図である。同図のように、デジタルカメラ１は、シャッタースイッチ３と、電源ボタン５と、正面側の対物ファインダー７ａと、背面側の接眼ファインダー７ｂと、撮影レンズ９と、ディスプレイ１１と、カーソルキー１５と、入力キー１７と、スロット１９とを備えて構成される。
【００３０】
シャッタースイッチ３は、撮影を実行するためのスイッチである。また、シャッタースイッチ３は、完全に押下されない状態（以下、「半押し状態」と称する。）と、完全に押下された状態との２段階の押下状態を検知する。半押し状態を検知すると、撮影の実行を待機する撮影待機状態に移行し、続いて完全に押下されたことを検知すると、シャッターを切り撮影が実行される。
【００３１】
電源ボタン５は、デジタルカメラ１の電源を投入／遮断（ＯＮ／ＯＦＦ）するためのスイッチであり、電源ボタン５が押下される毎に電源がＯＮ／ＯＦＦされる。
【００３２】
対物ファインダー７ａと接眼ファインダー７ｂとでファインダーを構成する。ファインダーは、撮影者（ユーザ）が被写体の構図を確認するために用いられる。
【００３３】
撮影レンズ９は、ガラス等で構成され、複数のレンズを組み合わせることにより、ズーム機能等が実現される。
【００３４】
ディスプレイ１１は、バックライト付きのカラーＬＣＤ（Liquid Crystal Display）やＥＬＤ（Electronic Luminescent Display）で構成され、デジタルカメラ１の操作に係る各種情報や画像等を表示する。例えば、撮影時には、電子ファインダーとして、撮影している被写体の画像を動画表示（いわゆるファインダー画像を表示）したり、シャッターが切られて撮像された瞬間の画像を表示したりする。
【００３５】
カーソルキー１５は、画面のスクロールや選択操作を行うための操作キーである。入力キー１７は、デジタルカメラ１に所定の情報を入力するための操作キーであり、メニュキー１７ａとＯＫキー１７ｂとを備えて構成される。メニュキー１７ａは、デジタルカメラ１の各種設定内容を表示するメニュ画面を表示させるための操作キーである。ユーザは、カーソルキー１５の押下によってメニュ画面に表示された設定内容を変更する。そして、ＯＫキー１７ｂを押下することによってメニュ画面において変更した設定内容を保存する。
【００３６】
スロット１９は、メモリカード２１を着脱自在に装着し、メモリカード２１に対してデータの読み書きができる装置であって、メモリカード２１の種類に応じて適宜選択される。
【００３７】
図２は、デジタルカメラ１の機能構成の一例を示すブロック図である。同図によれば、デジタルカメラ１は、ＣＰＵ（Central Processing Unit）１０と、入力部２０と、表示部３０と、シャッタースイッチ３と、撮影部４０と、ＲＡＭ（Random Access Memory）５０と、ＲＯＭ（Read Only Memory）６０と、メモリカード読み書き装置７０と、通信制御部８０とがバス９０に接続されて構成される。
【００３８】
ＣＰＵ１０は、入力される指示に応じて所定のプログラムに基づいた処理を実行し、各機能部への指示やデータの入出力を行う。具体的には、ＣＰＵ１０は、入力部２０から入力される操作信号に応じてＲＯＭ６０に格納されたプログラムを読み出し、当該プログラムに従って処理を実行する。そして、処理結果を表示するための表示制御信号を適宜表示部３０に出力して、当該処理結果を表示部３０に表示させる。
【００３９】
入力部２０は、プログラムの実行や、各種情報等の入力に必要なキー群を備えた入力装置であり、ユーザによって押下されたキーの押下信号をＣＰＵ１０に出力する。尚、この入力部２０は、図１（ｃ）に示すカーソルキー１５及び入力キー１７に相当するものである。
【００４０】
表示部３０は、デジタルカメラ１の各種情報や撮影画像等を表示するための表示装置であり、ＬＣＤやＥＬＤ等で構成される。尚、この表示部３０は、図１（ｃ）に示すディスプレイ１１に相当するものである。
【００４１】
撮影部４０は、撮影レンズ９、ＣＣＤ（Charge Coupled Device）やＣＭＯＳ（Complementary Metal Oxide Semiconductor）等の撮像素子、及びタイミングジェネレータ等によって構成される。撮影レンズ９を介して入力される被写体の像を撮像素子で電気信号に変換して画像データを生成し、生成した画像データはファインダー画像データ５００としてＲＡＭ５０に随時格納される。
【００４２】
ＲＡＭ５０は、ＣＰＵ１０が実行する各種プログラムや、これらプログラムの実行に係るデータ等を一時的に保持する記憶領域である。
【００４３】
図２によれば、ＲＡＭ５０は、ファインダー画像データ５００と、撮影時画像データ５０２と、転送先表示画面サイズ５０４と、枠設定データ５０６とを格納する。
【００４４】
ファインダー画像データ５００は、ファインダー画像を表示するための画像データであり、撮影部４０によって撮影中の被写体の画像データにより隋時更新される。この随時更新されるファインダー画像データ５００に基づいた画像が表示部３０に表示されることにより、被写体の動画表示が実現される。
【００４５】
撮影時画像データ５０２は、ユーザによりシャッターが切られた瞬間におけるファインダー画像データ５００である。ＣＰＵ１０は、シャッタースイッチ３の押下を検知すると、押下時のファインダー画像データ５００を撮影時画像データ５０２としてＲＡＭ５０に記憶させる。
【００４６】
転送先表示画面サイズ５０４は、携帯電話１００の表示部１０４の表示画面サイズであり、携帯電話１００から送信された表示画面サイズデータ１２２をもとに設定される。表示画面サイズは、表示部の表示パネルを構成する素子１つ（ドット）を単位とし、表示部の縦辺及び横辺のドット数によって表される。
【００４７】
枠設定データ５０６は、第１実施形態において特徴的な表示である矩形枠（例えば、図６（ａ）の矩形枠ＦＲ１）を表示するための表示データであり、矩形枠の中心の座標（以下、「枠中心座標」という。）と、表示部３０上における縦辺及び横辺のドット数（以下、「枠サイズ」という。）とを有する。ここで、枠中心座標は、表示部３０の左上端を原点、横方向をｘ軸、縦方向をｙ軸、１ドットを１として表され、また、初期値として表示部３０の中心点の座標が設定される。
【００４８】
この枠サイズは、デジタルカメラ１の表示部３０の表示画面サイズと、携帯電話１００の表示部１０４の表示画面サイズとの比、及び撮影時画像データ５０２の画像サイズ（以下、「撮影画像サイズ」という。）によって算出される。画像サイズは、撮影部４０を構成する撮像素子の１つ（画素）、換言すると、画像データを構成する色素の１つを単位とし、画像データの縦辺及び横辺の画素数によって表される。具体的には、表示部１０４の表示画面サイズ（転送先表示画面サイズ５０４）を撮影画像サイズで除算した値に、表示部３０の表示画面サイズを乗算することにより枠サイズが算出される。
【００４９】
例えば、枠サイズの縦辺のドット数を算出するとする。転送先表示画面サイズ５０４の縦辺のドット数を２００ドット、撮影画像サイズの縦辺の画素数を４００画素、表示部３０の縦辺のドット数を２５０ドットとすると、表示部３０に表示させる矩形枠の縦辺は（２００／４００）×２５０＝１２５画素と算出される。このとき、矩形枠の縦辺の１２５ドットに対する撮影画像サイズは、４００×（１２５／２５０）＝２００画素となるため、矩形枠の縦辺に対する画素数と表示部１０４の縦辺のドット数とは等しくなる。同様にして、枠サイズの横辺のドット数も算出される。従って、枠設定データ５０６に基づいて表示された矩形枠内の画像の画素数と、携帯電話１００の表示部１０４の表示画面サイズとは等しくなり、矩形枠内の画像は表示部１０４の画面サイズに適したサイズとなる。
【００５０】
ＲＯＭ６０は、各種初期設定、ハードウェアの検査、あるいは必要なプログラムのロードを行うための初期プログラムを格納する。ＣＰＵ１０は、デジタルカメラ１の電源投入時にこの初期プログラムを実行することにより、デジタルカメラ１の動作環境を設定する。また、ＲＯＭ６０は、デジタルカメラ１の動作に係る各種機能を実現するためのデータやプログラムを格納する。
【００５１】
同図によれば、ＲＯＭ６０は、第１携帯向画像撮影プログラム６００を格納する。第１携帯向画像撮影プログラム６００は、第１実施形態に係る第１携帯向画像撮影処理を実現するためのプログラムであり、第１選択プログラム６０２ａと画像転送プログラム６０４とをサブルーチンとして含んでいる。第１携帯向画像撮影処理は、ＣＰＵ１０によって第１携帯向画像撮影プログラム６００がＲＯＭ６０から読み出され、ＲＡＭ５０に展開されることで開始される。
【００５２】
メモリカード読み書き装置７０は、メモリカード２１に対してデータの読み書きを行う機能部である。また、このメモリカード２１には、撮影画像２１０が格納される。撮影画像２１０とは、表示部３０に表示させた矩形枠内の画像データであり、枠設定データ５０６に基づいて抽出した撮影時画像データ５０２の一部分の画像データでる。尚、図１（ｃ）において、メモリカード読み書き装置７０は、スロット１９に相当するものである。
【００５３】
通信制御部８０は、携帯電話１００とのアドホックな通信ネットワークを形成するための無線通信モジュールであり、例えば、ＩＥＥＥ８０２．１１によるワイヤレスＬＡＮ規格やＢｌｕｅｔｏｏｔｈ（登録商標）規格等の無線伝送方式によって実現される。同じ規格に対応する近距離無線通信が可能な携帯電話１００が、無線通信範囲に入ると自動的にアドホックなネットワークを形成し、互いに通信可能な状態となる。
【００５４】
図３は、携帯電話１００の機能構成の一例を示すブロック図である。同図によれば、携帯電話１００は、ＣＰＵ１０２と、表示部１０４と、入力部１０６と、音声入出力部１０８と、電話網接続制御部１１０と、ＲＡＭ１１２と、ＲＯＭ１１４と、フラッシュＲＯＭ１２４と通信制御部１２８とがバス１３０に接続されて構成される。尚、デジタルカメラ１と同様の機能構成のものは、その説明を省略する。
【００５５】
表示部１０４は、携帯電話１００の各種情報や壁紙画像等を表示するための表示装置であり、ＬＣＤやＥＬＤ等で構成される。壁紙画像とは、携帯電話１００が待ち受け時に表示部１０４に表示させる画像である。
【００５６】
音声入出力部１０８は、マイク、スピーカ、Ａ／Ｄ変換部及びＤ／Ａ変換部を備えて構成される。音声入出力部１０８は、マイクから入力されるユーザの送話音声をＡ／Ｄ変換部においてＡ／Ｄ変換し、送話音声データとしてＣＰＵ１０２に出力する。また、ＣＰＵ１０２から入力される受話音声データや、着信音、操作確認音等の音声データをＤ／Ａ変換部においてＤ／Ａ変換し、スピーカから音声出力する。
【００５７】
電話網接続制御部１１０は、ＣＰＵ１０２から入力される指示に基づき、アンテナを介して無線電話網Ｎ上の無線基地局との間で無線通信を行う。例えば、ＩＭＴ−２０００準拠の通信方式（例えば、Ｗ−ＣＤＭＡやｃｄｍａ２０００）に対応する携帯電話用の通信プロトコルに基づいて、送受話音声の送受信やデータ通信等を実行する。
【００５８】
ＲＯＭ１１４は、応答プログラム１１６と、壁紙画像受信プログラム１１８と、製品種別データ１２０と、表示画面サイズデータ１２２とを格納する。
【００５９】
応答プログラム１１６は、携帯電話１００の応答処理を実現するためのプログラムである。応答処理は、ＣＰＵ１０２によって応答プログラム１１６がＲＯＭ１１４から読み出され、ＲＡＭ１１２に展開されることで開始される。
【００６０】
壁紙画像受信プログラム１１８は、携帯電話１００の壁紙画像受信処理を実現するためのプログラムである。壁紙画像受信処理は、ＣＰＵ１０２によって壁紙画像受信プログラム１１８がＲＯＭ１１４から読み出され、ＲＡＭ１１２に展開されることで開始される。
【００６１】
製品種別データ１２０は、携帯電話１００の機種名やシリーズ等を識別するためのデータである。表示画面サイズデータ１２２は、表示部１０４の表示画面サイズであり、縦辺及び横辺のドット数によって表される。
【００６２】
フラッシュＲＯＭ１２４は、壁紙用画像データ１２６を格納する。壁紙用画像データ１２６は、携帯電話１００の待ち受け時に表示部１０４に壁紙画像を表示させるための画像データである。
【００６３】
通信制御部１２８は、デジタルカメラ１とのアドホックな通信ネットワークを形成するための無線通信モジュールである。
【００６４】
次に、第１実施形態に係るデジタルカメラ１と携帯電話１００との具体的な動作を、図４〜図５に示すフローチャートを用いて説明する。
【００６５】
先ず、ユーザによってデジタルカメラ１の電源が投入されると、ＣＰＵ１０は、第１携帯向画像撮影プログラム６００をＲＯＭ６０から読み出して、ＲＡＭ５０に展開することで、第１携帯向画像撮影処理を開始する。
【００６６】
第１携帯向画像撮影処理を開始すると、ＣＰＵ１０は、転送先画像サイズ選択処理を実行する（ステップＡ１）。転送先画像サイズ選択処理は、ＣＰＵ１０が、第１選択プログラム６０２ａをＲＯＭ６０から読み出し、ＲＡＭ５０に展開することで開始される。
【００６７】
ＣＰＵ１０は、転送先画像サイズ選択処理を開始すると、通信制御部８０によって携帯電話１００とアドホックな通信ネットワークを形成して、携帯電話１００との通信接続が確立されたことを確認する（ステップＢ１）。そして、携帯電話１００へ画面サイズの問い合わせを行い（ステップＢ３）、携帯電話１００から表示画面サイズデータ１２２を受信する（ステップＢ５）。ＣＰＵ１０は、受信した表示画面サイズデータ１２２を転送先表示画面サイズ５０４としてＲＡＭ５０に記憶させ（ステップＢ７）、転送先画像サイズ選択処理を終了する。
【００６８】
転送先画像サイズ選択処理を終了すると、ＣＰＵ１０は、デジタルカメラ１をカメラ撮影モードに切り替える（ステップＡ３）。具体的には、撮影部４０を駆動させ、ファインダー画像データ５００に基づいて表示部３０に表示させる画像を随時更新することでデジタルカメラ１をカメラ撮影モードに切り替える。
【００６９】
そして、転送先表示画面サイズ５０４に基づいて矩形枠（例えば、図６（ａ）の矩形枠ＦＲ１）を表示部３０に表示させる（ステップＡ５）。具体的には、ＣＰＵ１０は、転送先表示画面サイズ５０４、表示部３０の表示画面サイズ及び撮影画像サイズから枠設定データ５０６の枠サイズを算出する。そして、枠サイズのドット数を縦辺及び横辺とした矩形枠を、当該矩形枠の中心の座標が、枠設定データ５０６の枠中心座標となる位置に表示させる。
【００７０】
次いで、ユーザによるカーソルキー１５の操作を検出したか否かを判別する（ステップＡ６）。カーソルキー１５の操作を検出した場合は（ステップＡ６：Ｙｅｓ）、枠移動表示処理を行う（ステップＡ７）。具体的には、ユーザによって押下されたカーソルキー１５の方向と回数とに基づいて枠設定データ５０６の枠中心座標を算出し、当該枠設定データ５０６に基づいて、矩形枠の表示を更新する。例えば、カーソルキー１５の右キーを３回押下された場合は、交点座標のｘ座標に“３”加算する。そして、枠設定データ５０６に基づいて矩形枠の表示を更新することで、矩形枠は右に“３”ドット移動して表示される。
【００７１】
ＣＰＵ１０は、ステップＡ６においてカーソルキー１５の操作を検出しなかった場合（ステップＡ６：Ｎｏ）、又はステップＡ７の処理の後、所定の操作（例えば、メニュ画面の操作）により、ズーム比や、ホワイトバランス、シャッタースピード等といった撮影条件が変更されたか否かを判別する（ステップＡ８）。撮影条件が変更されたと判別した場合は（ステップＡ８：Ｙｅｓ）、変更内容に基づいて撮影条件を再設定する（ステップＡ９）。ＣＰＵ１０は、ステップＡ８において撮影条件が変更されなかったと判別した場合（ステップＡ８：Ｎｏ）、又はステップＡ９の処理の後、シャッタースイッチ３が押下されたか否かを判別する（ステップＡ１１）。
【００７２】
シャッタースイッチ３が押下されなかったと判別した場合は（ステップＡ１１：Ｎｏ）、ステップＡ７の処理へ移行する。また、押下されたと判別した場合は（ステップＡ１１：Ｙｅｓ）、押下された時点におけるファインダー画像データ５００を撮影時画像データ５０２としてＲＡＭ５０に記憶させる。そして、撮影時画像データ５０２と枠設定データ５０６とに基づいて、シャッタースイッチ３の押下時に矩形枠内に表示させていた画像のみを図６（ｄ）のように表示部３０に表示させる（ステップＡ１３）。
【００７３】
そして、ＣＰＵ１０は、表示部３０に表示させた画像を保存する否かを判別する（ステップＡ１５）。反転表示Ｒ１によって「ＮＯ」が選択されてＯＫキー１７ｂが押下された場合は、画像を保存しないと判別し（ステップＡ１５：Ｎｏ）、ステップＡ３の処理へ移行する。また、「ＹＥＳ」が選択されてＯＫキー１７ｂが押下された場合は、画像を保存すると判別し（ステップＡ１５：Ｙｅｓ）、撮影時画像データ５０２と枠設定データ５０６とに基づいて、矩形枠内の画像データを撮影画像２１０としてメモリカード２１に記憶させる（ステップＡ１７）。
【００７４】
次いで、ＣＰＵ１０は、画像転送処理を実行する（ステップＡ１９）。画像転送処理は、ＣＰＵ１０が、画像転送プログラム６０４をＲＯＭ６０から読み出し、ＲＡＭ５０に展開することで開始される。
【００７５】
画像転送処理を開始すると、ＣＰＵ１０は、通信制御部８０を介して携帯電話１００へ通信接続のアクセス要求を行い（ステップＤ１）、携帯電話１００との通信接続が確立するまで待機する（ステップＤ３）。携帯電話１００との通信接続が確立したら（ステップＤ３：Ｙｅｓ）、ＣＰＵ１０は、撮影画像２１０を携帯電話１００へ送信する（ステップＤ５）。ＣＰＵ１０は、携帯電話１００から撮影画像２１０の受信終了の信号を受信するまで、撮影画像２１０を送信し、受信終了の信号を受信したら撮影画像２１０を正常に送信したと判定して（ステップＤ７）、画像転送処理を終了する。
ＣＰＵ１０は、画像転送処理を終了した後、第１携帯向画像撮影処理を終了する。
【００７６】
一方、携帯電話１００においては、ユーザにより電源が投入されると、ＣＰＵ１０２は、応答プログラム１１６をＲＯＭ１１４から読み出して、ＲＡＭ１１２に展開することで応答処理を開始する。ＣＰＵ１０２は、応答処理を開始後、デジタルカメラ１からの問い合わせを検知したら（ステップＣ１）、デジタルカメラ１からの問い合わせ内容に応じたデータをデジタルカメラ１に送信する（ステップＣ３）。第１実施形態においては、画面サイズの問い合わせが為されるため、表示画面サイズデータ１２２をＲＯＭ１１４から読み出してデジタルカメラ１へ送信して、応答処理を終了する。
【００７７】
その後、ＣＰＵ１０２は、壁紙画像受信プログラム１１８をＲＯＭ１１４から読み出して、ＲＡＭ１１２に展開することで壁紙画像受信処理を開始する。壁紙画像受信処理を開始後、デジタルカメラ１からの通信接続のアクセス要求を検知したら（ステップＥ１）、デジタルカメラ１から送信される撮影画像２１０の受信を行う（ステップＥ３）。撮影画像２１０を正常に受信したと判定したら（ステップＥ５）、受信終了の信号をデジタルカメラ１へ送信する。ＣＰＵ１０２は受信した撮影画像２１０を壁紙用画像データ１２６としてフラッシュＲＯＭ１２４へ記憶させ、壁紙用画像データ１２６に基づいた壁紙画像を携帯電話１００の壁紙として設定し（ステップＥ７）、壁紙画像受信処理を終了する。
【００７８】
図６は、具体的な表示画面の画面遷移の例を示す図である。以下、ユーザの操作例と合わせて説明する。
【００７９】
先ず、ユーザは、デジタルカメラ１の電源を投入すると、表示部３０の中心には矩形枠ＦＲ１が表示される（図６（ａ））。このとき、デジタルカメラ１と携帯電話１００との間では、表示画面サイズデータ１２２の送受信が為され（図４に示すステップＡ１、図５（ａ）に示すステップＢ１〜Ｂ７に相当）、デジタルカメラ１によって受信された表示画面サイズデータ１２２に基づいて枠設定データ５０６が算出される。そして、算出された枠設定データ５０６に基づいて矩形枠ＦＲ１が表示部３０の中心に表示される（図４に示すステップＡ５に相当）。
【００８０】
ユーザは、デジタルカメラ１の撮影レンズ９を被写体であるバスを携帯電話１００の壁紙とするために撮影を行う。そのために、表示部３０に表示される被写体の画像（図６（ｂ））を見ながら、被写体が矩形枠ＦＲ１内において所望の構図となるように、カーソルキー１５を操作してズーム比を変更したり、撮影位置を移動したりする。そして、図６（ｃ）のように矩形枠ＦＲ１内において被写体が所望の構図となったら、ユーザは、シャッタースイッチ３を押下し、撮影を実行する（図４に示すステップＡ６→Ａ７→Ａ８→Ａ９〜Ａ１１に相当）。
【００８１】
撮影を実行後、表示部３０には図６（ｄ）のような、撮影画像２１０を保存するか否かを選択するための画像が表示され、ユーザは反転表示Ｒ１で「ＹＥＳ」を選択してＯＫキー１７ｂを押下すると、撮影画像２１０はメモリカード２１に保存されるとともに、デジタルカメラ１と携帯電話１００との通信が開始される（図４に示すステップＡ１３〜Ａ１５→Ａ１７〜Ａ１９に相当）。
【００８２】
デジタルカメラ１によって送信された撮影画像２１０は、携帯電話１００によって受信され、撮影画像２１０が携帯電話１００の壁紙画像として設定される（図５（ｂ）に示すステップＥ１〜Ｅ７に相当）。図６（ｄ）に示すように、矩形枠ＦＲ１内の画像は、携帯電話１００の表示部１０４の画面サイズで表示される。
【００８３】
以上、第１実施形態によれば、携帯電話１００から送信される表示画面サイズデータ１２２に従って、矩形枠ＦＲ１を表示部３０に表示させ、ユーザによって撮影が実行されると、矩形枠ＦＲ１内の画像を撮影画像２１０として携帯電話１００へ送信する撮影画像制御装置を実現できる。矩形枠内の画像の画像サイズは、携帯電話１００の表示部１０４の表示画面サイズと同じであるため、携帯電話１００の壁紙画像として設定された撮影画像２１０による画像は、表示部１０４の画面サイズで表示される。従って、ユーザは、矩形枠ＦＲ１内において被写体が所望の構図となるように撮影を行うことにより、携帯電話１００の表示部１０４の画面サイズに適したサイズの画像を容易に撮影することができる。
【００８４】
また、携帯電話１００との通信によって、自動的に矩形枠ＦＲ１の縦辺及び横辺のドット数が設定される。このため、撮影する画面範囲をドット単位で設定するといったような難しい設定をする必要がなく、ユーザの操作を軽減することができる。
【００８５】
また、メモリカード２１に保存する撮影画像２１０は、撮影時画像データ５０２の一部分であるから、撮影時画像データ５０２よりもデータ量は小さくなる。従って、従来の撮影画像制御装置のように、被写体の画像をそのまま保存するよりも、記憶領域の使用容量を節約することができる。
【００８６】
尚、携帯電話１００から送信される表示画面サイズデータ１２２に基づいて枠設定データ５０６を決定することとして説明したが、これに限られるものではなく、適宜変更可能である。以下、枠設定データ５０６を、携帯電話１００から送信される製品種別によって決定する場合と、ユーザによって選択された製品種別によって決定する場合との変形例をそれぞれ説明する。
【００８７】
〔第１変形例〕
先ず、デジタルカメラ１の第１変形例について説明する。第１変形例におけるデジタルカメラ１のＲＯＭ６０は、第２選択プログラム６０２ｂをサブルーチンとして含む第１携帯向画像撮影プログラム６００と、画面サイズ携帯別データ６０６とを格納する。
【００８８】
画面サイズ携帯別データ６０６は、製品種別情報である製品種別と画面サイズとを対応付けて格納するためのデータテーブルである。画面サイズは、製品種別毎の表示部１０４の表示画面サイズデータであり、縦辺及び横辺のドット数を有する。図７は、画面サイズ携帯別データ６０６のデータ構成の一例を示す図である。同図のように、製品種別に縦辺及び横辺のドット数による画面サイズが対応付けられたレコードが格納されている。例えば、製品種別「Ａ９８２９ｉ」には、画面サイズとして縦辺「１２０」と横辺「１２０」とが対応付けられている。これは、製品種別「Ａ９８２９ｉ」の携帯電話１００の表示部１０４の縦辺が“１２０”ドット、横辺が“１２０”ドットであることを表している。
【００８９】
第１変形例における第１携帯向画像撮影処理は、図５（ａ）の転送先画像サイズ選択処理を図８（ａ）の転送先画像サイズ選択処理に置き換えた処理である。
【００９０】
第１変形例において、第１携帯向画像撮影処理を開始すると、ＣＰＵ１０は、ＲＯＭ６０から第２選択プログラム６０２ｂを読み出し、ＲＡＭ５０に展開することで、転送先画像サイズ選択処理を開始する（ステップＡ１）。
【００９１】
転送先画像サイズ選択処理を開始すると、ＣＰＵ１０は、携帯電話１００と互いにアドホックなネットワークを形成して、携帯電話１００との通信接続の確立を確認する（ステップＦ１）。そして、携帯電話１００へ製品種別の問い合わせを行い（ステップＦ３）、携帯電話１００から製品種別データ１２０を受信する（ステップＦ５）。ＣＰＵ１０は、受信した製品種別データ１２０に対応する画面サイズを画面サイズ携帯別データ６０６から読み出して、当該画面サイズを転送先表示画面サイズ５０４として決定し（ステップＦ７）、転送先画像サイズ選択処理を終了する。
【００９２】
そして、第１実施形態と同様に、ＣＰＵ１０は、ステップＡ３以降の処理を実行した後、第１携帯向画像撮影処理を終了する。
【００９３】
一方、携帯電話１００においては、第１実施形態と同様に応答処理が実行される。ＣＰＵ１０２は、応答処理を開始後、デジタルカメラ１からの問い合わせを検知したら（ステップＣ１）、デジタルカメラ１からの問い合わせ内容に応じたデータをデジタルカメラ１に送信する（ステップＣ３）。第１変形例においては、製品種別の問い合わせが為されるため、製品種別データ１２０をＲＯＭ１１４から読み出してデジタルカメラ１へ送信して、応答処理を終了する。
【００９４】
以上、第１変形例によれば、ＲＯＭ６０に画面サイズ携帯別データ６０６を格納し、携帯電話１００から受信した製品種別データ１２０に対応する画面サイズを読み出す。そして、読み出した画面サイズに基づいて矩形枠を表示させる。当該画面サイズは、表示部１０４の表示画面サイズであるから、表示画面サイズデータ１２２を受信することにより矩形枠を表示させた第１実施形態と同様の効果を得ることができる。
【００９５】
〔第２変形例〕
次に、デジタルカメラ１の第２変形例について説明する。第２変形例におけるデジタルカメラ１のＲＯＭ６０は、第３選択プログラム６０２ｃをサブルーチンとして含む第１携帯向画像撮影プログラム６００と、画面サイズ携帯別データ６０６とを格納する。
【００９６】
第２変形例における第１携帯向画像撮影処理は、図５（ａ）の転送先画像サイズ選択処理を図８（ｂ）の転送先画像サイズ選択処理に置き換えた処理である。
【００９７】
ＣＰＵ１０は、第１携帯向画像撮影処理を開始すると、ＣＰＵ１０は、ＲＯＭ６０から第３選択プログラム６０２ｃを読み出し、ＲＡＭ５０に展開することで、転送先画像サイズ選択処理を開始する（ステップＡ１）。
【００９８】
第２変形例において転送先画像サイズ選択処理を開始すると、ＣＰＵ１０は、図９のような製品名選択画面を表示部３０に表示させる（ステップＧ１）。具体的には、画面サイズ携帯別データ６０６から製品種別を読み出して、読み出した製品種別を製品名一覧ＬＳＴとして表示部３０に表示させる。
【００９９】
ユーザによるカーソルキー１５の上下キーの押下操作に応じて、ＣＰＵ１０は、製品名選択処理を実行する（ステップＧ３）。具体的には、押下されたカーソルキー１５の方向と回数とに応じて、反転表示Ｒ３の表示を上下に移動させる。例えば、図９において、上キーを２回押下された場合は、反転表示Ｒ３を製品名「Ａ９８２９ｉ」に移動して表示させる。
【０１００】
そして、ＣＰＵ１０は、製品名が決定されたか否かを判別する（ステップＧ５）。ユーザによりＯＫキー１７ｂが押下されなかった場合は、製品名が決定されなかったと判別し（ステップＧ５：Ｎｏ）、ステップＧ３の処理へ移行する。ＯＫキー１７ｂが押下された場合は、製品名が決定されたと判別し（ステップＧ５：Ｙｅｓ）、反転表示Ｒ３によって選択されている製品種別に対応する画面サイズを画面サイズ携帯別データ６０６から読み出す。ＣＰＵ１０は、読み出した画面サイズを転送先表示画面サイズ５０４としてＲＡＭ５０に記憶させた後（ステップＧ７）、転送先画像サイズ選択処理を終了し、第１実施形態と同様にステップＡ３以降の処理を実行した後、第１携帯向画像撮影処理を終了する。
【０１０１】
図９は、第２変形例における製品名選択画面を表示した表示部３０の表示例である。ユーザは、製品名選択画面において、反転表示Ｒ３を移動することで、製品名を選択する。例えば、同図のように、製品名一覧ＬＳＴから製品名「Ｃ９９９０ｉ」を選択し、ＯＫキー１７ｂを押下すると、ＣＰＵ１０によって、画面サイズ携帯別データ６０６から製品種別「Ｃ９９９０ｉ」に対応する画面サイズとして縦辺「３２０」及び横辺「２４０」とが読み出されて、転送先表示画面サイズ５０４としてＲＡＭ５０に格納される。
【０１０２】
第１実施形態と同様に、転送先表示画面サイズ５０４に基づいて枠設定データ５０６の枠サイズは算出され、枠設定データ５０６に基づいた矩形枠が図６（ａ）のように表示部３０に表示される。
【０１０３】
以上、第２変形例によれば、ＣＰＵ１０は、画面サイズ携帯別データ６０６に基づいて製品名一覧ＬＳＴを表示させ、ユーザにより選択された製品名に対応する画面サイズに基づいて矩形枠を表示させる。従って。ユーザは、製品名一覧ＬＳＴより所望の製品に合った適切な矩形枠を表示させて、撮影を行うことができる。
【０１０４】
〔第２実施形態〕
次に、本発明を撮影画像制御装置の一種であるデジタルカメラに適用した場合の第２実施形態について図１０〜図１２を用いて説明する。第２実施形態におけるデジタルカメラ１は、図２に示した第１実施形態のＲＡＭ５０及びＲＯＭ６０を図１０に示したＲＡＭ５２及びＲＯＭ６２に置き換えた構成である。尚、第１実施形態と同一の構成要素には同一の符号を付し、図４の第１携帯向画像撮影処理と同一の処理内容には同一の符号を付してその説明を省略する。
【０１０５】
図１０（ａ）は、ＲＡＭ５２の構成の一例を示す図である。同図によれば、ＲＡＭ５２は、ファインダー画像データ５００と、撮影時画像データ５０２と、転送先表示画面サイズ５０４と、枠設定データ５０６と、枠内画像サイズ５２０とを格納する。
【０１０６】
枠内画像サイズ５２０は、矩形枠内の画像の画像サイズであり、枠設定データ５０６の枠サイズと表示部３０の表示画面サイズとによる比、及び撮影画像サイズからＣＰＵ１０によって算出される。具体的には、枠サイズを表示部３０の表示画面サイズで除算した値に撮影画像サイズを乗算することにより算出される。
【０１０７】
例えば、枠内画像サイズ５２０の縦辺の画素数を算出するとする。表示部３０の縦辺の表示画面サイズを２５０ドット、撮影画像サイズの縦辺を４００画素、枠サイズの縦辺を１２５ドットとすると、矩形枠の縦辺に対する画素数は（１２５／２５０）×４００＝２００画素と算出される。同様にして、枠内画像サイズ５２０の横辺の画素数も算出される。
【０１０８】
図１０（ｂ）は、ＲＯＭ６２の構成の一例を示す図である。同図によれば、ＲＯＭ６２は、第２携帯向画像撮影プログラム６２０を格納する。第２携帯向画像撮影プログラム６２０は、第２実施形態に係る第２携帯向画像撮影処理を実現するためのプログラムであり、画像転送プログラム６０４をサブルーチンとして含んでいる。第２携帯向画像撮影処理は、ＣＰＵ１０によってＲＯＭ６２から第２携帯向画像撮影プログラム６２０が読み出され、ＲＡＭ５２に展開されることで開始される。
【０１０９】
第１実施形態において、枠設定データ５０６の枠サイズは、携帯電話１００から送信される表示画面サイズデータ１２２をもとにして設定される固定的なデータであったが、第２実施形態においては、サイズ変更指示であるユーザのカーソルキー１５の操作によって再算出されて更新される。
【０１１０】
具体的には、カーソルキー１５の上キーが押下された場合は、押下された回数の２倍の値を枠サイズの縦辺のドット数に加算する。例えば、上キーが１回押下された場合は、縦辺のドット数に“２”を加算する。これにより、枠設定データ５０６の枠中心座標のｙ座標を中心として、矩形枠の縦辺は上下に１ドットずつ拡大されて表示が更新される。また、下キーを押下された場合は、押下された回数の２倍の値を縦辺のドット数から減算する。また、右キーを押下された場合は、押下された回数の２倍の値を横辺のドット数に加算し、左キーを押下された場合は、減算する。従って、カーソルキー１５の上キーの押下は矩形枠の縦方向の拡大、下キーの押下は縦方向の縮小、右キーの押下は横方向の拡大、左キーの押下は横方向の縮小といったように、上下左右キーそれぞれが矩形枠を拡縮するためのキーとして機能することで、矩形枠のサイズを変更するサイズ変更指示が実現される。
【０１１１】
次に、第２実施形態に係るデジタルカメラ１の具体的な動作を、図１１に示すフローチャートを用いて説明する。
【０１１２】
先ず、ユーザによってデジタルカメラ１の電源が投入されると、ＣＰＵ１０は、第２携帯向画像撮影プログラム６２０をＲＯＭ６２から読み出して、ＲＡＭ５２に展開することで、第２携帯向画像撮影処理を開始する。
【０１１３】
第２携帯向画像撮影処理を開始すると、ＣＰＵ１０は、デジタルカメラ１をカメラ撮影モードに切り替える（ステップＡ３）。
【０１１４】
そして、枠設定データ５０６の初期値に基づいて矩形枠を表示させるとともに、枠設定データ５０６に基づいて枠内画像サイズ５２０を算出して表示部３０に表示させる（ステップＨ５−１）。
【０１１５】
ＣＰＵ１０は、ユーザのカーソルキー１５の操作を検出したか否かを判別し、当該操作を検出したと判別すると（ステップＨ５−２：Ｙｅｓ）、当該操作によるカーソルキー１５の方向と回数とに基づいて枠設定データ５０６の枠サイズを更新する。ＣＰＵ１０は、更新した枠設定データ５０６に基づいて枠内画像サイズ５２０を再算出して、矩形枠と枠内画像サイズ５２０の表示を更新する（ステップＨ５−３）。
【０１１６】
ステップＨ５−２においてカーソルキー１５の操作を検出しなかった場合（ステップＨ５−２：Ｎｏ）、又はステップＨ５−３の処理の後、矩形枠のサイズの決定が為されたか否かを判別する（ステップＨ５−４）。ＯＫキー１７ｂが押下されなかった場合、ＣＰＵ１０は、矩形枠のサイズの決定が為されなかったと判別し（ステップＨ５−４：Ｎｏ）、ステップＨ５−１の処理へ移行する。また、ＯＫキー１７ｂが押下された場合は、矩形枠のサイズの決定が為されたと判別し（ステップＨ５−４：Ｙｅｓ）、次いで、カーソルキー１５の操作を検出したか否かを判別する（ステップＨ５−６）。当該操作を検出した場合は（ステップＨ５−６：Ｙｅｓ）、枠移動表示処理を行う（ステップＡ７）。
【０１１７】
ステップＨ５−６においてカーソルキー１５の操作を検出しなかった場合（ステップＨＨ５−６）、又はステップＡ７の処理の後、矩形枠の配置の決定が為されたか否かを判別する（ステップＨ７−１）。ＯＫキー１７ｂが押下されなかった場合、ＣＰＵ１０は、矩形枠の配置の決定が為されなかったと判別し（ステップＨ７−１：Ｎｏ）、ステップＨ５−６の処理へ移行する。また、ＯＫキー１７ｂが押下された場合は、矩形枠の配置の決定が為されたと判別する（ステップＨ７−１：Ｙｅｓ）。そして、ユーザにより撮影条件の変更が為された場合は撮影条件の設定を行い、シャッタースイッチ３が押下されたか否かを判別する（ステップＡ８→Ａ９〜Ａ１１）。
【０１１８】
ＣＰＵ１０は、シャッタースイッチ３が押下されなかったと判別した場合（ステップＡ１１：Ｎｏ）、ステップＡ８の処理へ移行する。また、押下されたと判別した場合は（ステップＡ１１：Ｙｅｓ）、シャッタースイッチ３が押下された時点におけるファインダー画像データ５００を撮影時画像データ５０２としてＲＡＭ５０に記憶させる。そして、撮影時画像データ５０２と枠設定データ５０６とに基づいて、シャッタースイッチ３の押下時に矩形枠内に表示させていた画像を図６（ｄ）のように表示部３０に表示させる（ステップＡ１３）。
【０１１９】
そして、ＣＰＵ１０は、表示部３０に表示させた画像を保存するか否かを判別する（ステップＡ１５）。画像を保存しないと判別した場合は（ステップＡ１５：Ｎｏ）、ステップＡ３の処理へ移行する。また、画像を保存すると判別した場合は（ステップＡ１５：Ｙｅｓ）、第１実施形態と同様にステップＡ１７〜Ａ１９の処理を行った後、第２携帯向画像撮影処理を終了する。
【０１２０】
図１２及び１３は、具体的な表示画面の画面遷移の例を示す図である。以下、ユーザの操作例と合わせて説明する。
【０１２１】
先ず、ユーザは、デジタルカメラ１の電源をＯＮにすると、表示部３０の中心には枠設定データ５０６の初期値に基づいた矩形枠ＦＲ３が表示される。また、表示部３０の右下端には、矩形枠ＦＲ３の枠内画像サイズＳ１が表示される（図１２（ａ））（図１１に示すステップＡ３〜Ｈ５−１に相当）。
【０１２２】
ユーザは、カーソルキー１５の上キーと右キーを押下することで、矩形枠ＦＲ３を矩形枠ＦＲ５まで拡大すると、枠内画像サイズＳ３のように当該拡大に合わせて枠内画像サイズが更新される（図１２（ｂ））。このとき、ＣＰＵ１０によって枠設定データ５０６の枠サイズと枠内画像サイズ５２０とがユーザのカーソルキー１５の押下操作に基づいて算出されて更新される（図１１に示すステップＨ５−２→Ｈ５−３に相当）。
【０１２３】
ユーザは、ＯＫキー１７ｂを押下した後、更にカーソルキー１５の右キーを押下することで、矩形枠ＦＲ５の配置を図１２（ｃ）のように移動する。このとき、ＣＰＵ１０によって枠設定データ５０６の枠中心座標が、押下されたカーソルキー１５の方向と押下回数に基づいて算出されて更新される（図１１に示すステップＨ５−４→Ｈ５−６→Ａ７に相当）。
【０１２４】
そして、ＯＫキー１７ｂを押下することで、矩形枠ＦＲ５の配置を決定して、矩形枠ＦＲ５内において、被写体が所望の構図となるように、ズーム比を変更したり、撮影位置を移動したりする。そして、図１３（ａ）のように矩形枠ＦＲ５内において被写体が所望の構図となったら、ユーザは、シャッタースイッチ３を押下し、撮影を実行する（図１１に示すステップＨ７−１→Ａ８→Ａ９〜Ａ１１に相当）。
【０１２５】
撮影を実行後、第１実施形態と同様に、表示部３０には図１３（ｂ）のような画面が表示され、ユーザが「ＹＥＳ」を選択すると、撮影画像２１０は、メモリカード２１に保存されるとともに、携帯電話１００へ送信されて携帯電話１００の壁紙に設定される（図１１に示すステップＡ１３〜Ａ１５→Ａ１７〜Ａ１９に相当）。
【０１２６】
以上、第２実施形態によれば、ユーザのカーソルキー１５の操作によるサイズ変更指示に応じて枠設定データ５０６の枠サイズと、枠内画像サイズ５２０とを再算出して表示を更新し、ユーザによって撮影が実行されると、第１実施形態と同様に矩形枠内に表示させている画像を撮影画像２１０として携帯電話１００へ送信する撮影画像制御装置を実現できる。これにより、ユーザは、画素数を入力するといった難しい設定ではなく、カーソルキー１５の操作によって更新される矩形枠と枠内画像サイズＳ１とによって、撮影する画像のサイズを視覚的に確認することができ、容易に所望のサイズの画像を撮影することができる。
【０１２７】
尚、上述した第１及び第２実施形態において、表示する枠を矩形枠として説明したが、これに限られるものではなく、例えば、楕円形の枠を表示することとしてもよい。具体的には、枠サイズの縦辺又は横辺の大きい方を、楕円形の長径、他方を短径とした楕円形の枠を算出して表示させる。これにより、携帯電話の表示部の縦辺及び横辺の長さに合った楕円形の画像を撮影することができる。
【０１２８】
また、撮影画像を転送する外部の電子機器を携帯電話として説明したが、携帯電話に限定されず、パソコン、ＰＤＡ（Personal Digital Assistants）等の表示装置を備える電子機器であれば適用可能である。
【図面の簡単な説明】
【０１２９】
【図１】（ａ）は、本発明における第１実施形態の概要の一例を示す図。（ｂ）は、デジタルカメラの正面斜視図。（ｃ）は、デジタルカメラの背面斜視図。
【図２】本発明における第１実施形態のデジタルカメラの機能構成の一例を示すブロック図。
【図３】本発明における第１実施形態の携帯電話の機能構成の一例を示すブロック図。
【図４】本発明における第１実施形態の第１携帯向画像撮影処理を説明するためのフローチャート。
【図５】（ａ）は、本発明の第１実施形態における転送先画像サイズ選択処理及び応答処理を説明するためのフローチャート。（ｂ）は、画像転送処理及び壁紙画像受信処理を説明するためのフローチャート。
【図６】本発明における第１実施形態の表示画面の画面遷移の一例を示す図。
【図７】画面サイズ携帯別データのデータ構成の一例を示す図。
【図８】（ａ）は本発明の第１変形例における転送先画像サイズ選択処理。（ｂ）は、第２変形例における転送先画像サイズ選択処理を説明するためのフローチャート。
【図９】本発明における第２変形例の表示画面の一例を示す図。
【図１０】（ａ）は、本発明における第２実施形態のＲＡＭの構成の一例を示す図。（ｂ）は、ＲＯＭの構成の一例を示す図。
【図１１】本発明における第２実施形態の第２携帯向画像撮影処理を説明するためのフローチャート。
【図１２】本発明における第２実施形態の表示画面の画面遷移の第１の一例を示す図。
【図１３】本発明における第２実施形態の表示画面の画面遷移の第２の一例を示す図。
【符号の説明】
【０１３０】
１        デジタルカメラ
３        シャッタースイッチ
５        電源ボタン
７ａ      対物ファインダー
７ｂ      接眼ファインダー
９        撮影レンズ
１１      ディスプレイ
１５      カーソルキー
１７      入力キー
１７ａ    メニュキー
１７ｂ    ＯＫキー
１９      スロット
１０      ＣＰＵ
２０      入力部
３０      表示部
４０      撮影部
５０      ＲＡＭ
５００    ファインダー画像データ
５０２    撮影時画像データ
５０４    転送先表示画面サイズ
５０６    枠設定データ
６０      ＲＯＭ
６００    第１携帯向画像撮影プログラム
６０２ａ  第１選択プログラム
６０２ｂ  第２選択プログラム
６０２ｃ  第３選択プログラム
６０４    画像転送プログラム
６０６    画面サイズ携帯別データ
７０      メモリカード読み書き装置
８０      通信制御部
９０      バス
２１      メモリカード
２１０    撮影画像
１００    携帯電話
【図１】
2005191643.tif 000003
【図２】
2005191643.tif 000004
【図３】
2005191643.tif 000005
【図４】
2005191643.tif 000006
【図５】
2005191643.tif 000007
【図６】
2005191643.tif 000008
【図７】
2005191643.tif 000009
【図８】
2005191643.tif 000010
【図９】
2005191643.tif 000011
【図１０】
2005191643.tif 000012
【図１１】
2005191643.tif 000013
【図１２】
2005191643.tif 000014
【図１３】
2005191643.tif 000015